【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
ガス流量を一定時間間隔Ｔで計測する流量計測手段と、
前記流量計測手段が計測するガス流量をもとに前記起動ガス流量の実測値を計算する流量演算手段と、
ガス器具起動時の起動ガス流量の登録値を予め記憶する器具起動情報記憶手段と、
前記計測流量演算手段で計算された実測値と前記器具起動情報記憶手段に記憶された登録値とを比較して実際に起動したガス器具を判別する器具判別手段と、で構成される流量計測装置において、
前記器具判別手段が特定のガス器具の動作を判別した後、そのガス器具の使用流量が０になった場合に、その停止した時刻からの所定時間において前記流量演算手段は前記起動ガス流量の実測値の計算方法を変更することを特徴とする流量計測装置。
【請求項２】
前記流量演算手段は、特定のガス器具の動作時間によって前記所定時間の長さを変更するようにした請求項１に記載の流量計測装置。
【請求項３】
前記流量演算手段は、
前記流量計測手段がガス流量を計測する度に、差分時間Ｎ前の流量との差分値を演算するようにした第１の演算手段と、
前記第１の演算手段が演算した差分値が予め定めた正の閾値より大きくなった時刻ａより差分時間Ｎ前における流量Ｑａと、その時刻ａの後において前記第１の演算手段が演算した差分値の絶対値が前記正の閾値より小さくなった時刻ｂにおける流量Ｑｂとを求め、それらの流量差（Ｑｂ−Ｑａ）を前記起動ガス流量の実測値として計算する第２の演算手段と、で構成され、
前記流量演算手段は、前記特定のガス器具が停止した時刻からの所定時間において、前記差分時間Ｎを変更することで計算方法を変更する請求項１または２に記載の流量計測装置。
【請求項４】
前記特定のガス器具が停止した時刻からの所定時間において、前記正の閾値の大きさが異なる請求項１から３の何れか１項に記載の流量計測装置。
【請求項５】
第２の演算手段は、前記特定のガス器具が停止した時刻からの所定時間における流量差（
Ｑｂ−Ｑａ）が０に近い場合には、時刻ａから時刻ｂの間における前記計測流量と時間Ｎ前の流量Ｑａとの差の中で一番大きいものを前記起動ガス流量の実測値とする請求項３または４に記載の流量計測装置。
【請求項６】
前記ガス器具とは、短時間でＯＮ（起動）とＯＦＦ（停止）を繰り返すガス器具である請求項１から５の何れか１項に記載の流量計測装置。
【請求項７】
前記流量計測手段は、超音波流量計を用いた請求項１から６の何れか１項に記載の流量計測装置。
【請求項８】
請求項１から７の何れか１項に記載の流量計測装置の少なくとも一部をコンピュータに実行させるプログラム。
【手続補正２】
【補正対象書類名】明細書
【補正対象項目名】００３１
【補正方法】変更
【補正の内容】
【００３１】
前記従来の課題を解決するために、本発明の流量計測装置は、ガス流量を一定時間間隔Ｔで計測する流量計測手段と、前記流量計測手段が計測するガス流量をもとに前記起動ガス流量の実測値を計算する流量演算手段と、ガス器具起動時の起動ガス流量の登録値を予め記憶する器具起動情報記憶手段と、前記計測流量演算手段で計算された実測値と前記器具起動情報記憶手段に記憶された登録値とを比較して実際に起動したガス器具を判別する器具判別手段と、で構成され、前記器具判別手段が特定のガス器具の動作を判別した後、そのガス器具の使用流量が０になった場合に、その停止した時刻からの所定時間において前記流量演算手段は前記起動ガス流量の実測値の計算方法を変更することを特徴とするとしたものである。
【手続補正３】
【補正対象書類名】明細書
【補正対象項目名】００３３
【補正方法】変更
【補正の内容】
【００３３】
なお、停止した時刻からの所定時間において前記流量演算手段は前記起動ガス流量の実測値の計算方法を変更するのは、オーバシュートがあるガス器具があったりするので、ガス流量が安定した時のガス流量を起動流量としたほうが精度よく起動した器具を判別することができるからである。
【手続補正４】
【補正対象書類名】明細書
【補正対象項目名】００３５
【補正方法】変更
【補正の内容】
【００３５】
第１の発明は、ガス流量を一定時間間隔Ｔで計測する流量計測手段と、前記流量計測手段が計測するガス流量をもとに前記起動ガス流量の実測値を計算する流量演算手段と、ガス器具起動時の起動ガス流量の登録値を予め記憶する器具起動情報記憶手段と、前記計測流量演算手段で計算された実測値と前記器具起動情報記憶手段に記憶された登録値とを比較して実際に起動したガス器具を判別する器具判別手段と、で構成される流量計測装置において、前記器具判別手段が特定のガス器具が動作したと判別した後、前記特定のガス器具が停止した場合に、その停止した時刻からの所定時間において前記流量演算手段は前記
起動ガス流量の実測値の計算方法を変更することを特徴とするものである。
【手続補正５】
【補正対象書類名】明細書
【補正対象項目名】００３７
【補正方法】変更
【補正の内容】
【００３７】
第２の発明は、特に、第１の発明の流量計測装置の前記流量演算手段が、前記特定のガス器具の動作時間によって前記所定時間の長さを変更することにより、例えばガス器具がガスオーブンだった場合に、最初の庫内温度はほぼ室温で設定温度との差が大きいなので、設定温度が高ければ長時間温めないといけないし、その設定温度を維持するためには頻繁にＯＮ状態になっていないといけない。特に一番初めの動作では長くＯＮ状態になっていないといけない。
【手続補正６】
【補正対象書類名】明細書
【補正対象項目名】００４０
【補正方法】変更
【補正の内容】
【００４０】
第３の発明は、特に、第１または第２の発明の流量計測装置の前記流量演算手段は、前記流量計測手段がガス流量を計測する度に、差分時間Ｎ前の流量との差分値を演算するようにした第１の演算手段と、前記第１の演算手段が演算した差分値が予め定めた正の閾値より大きくなった時刻ａより差分時間Ｎ前における流量Ｑａと、その時刻ａの後において前記第１の演算手段が演算した差分値の絶対値が前記正の閾値より小さくなった時刻ｂにおける流量Ｑｂとを求め、それらの流量差（Ｑｂ−Ｑａ）を前記起動ガス流量の実測値として計算する第２の演算手段と、で構成され、前記流量演算手段は、前記特定のガス器具が停止した時刻からの所定時間において、前記差分時間Ｎを変更することで計算方法を変更することにより、ガス流量安定が長時間持続されればされるほど、ガス器具が完全に起動したという確率が高くなり、起動流量をより確実に求めることができる。
【手続補正７】
【補正対象書類名】明細書
【補正対象項目名】００４６
【補正方法】変更
【補正の内容】
【００４６】
第４の発明は、特に、第１から第３の発明の流量計測装置において、特定のガス器具が停止した時刻からの所定時間において、前記正の閾値の大きさが異なることにより、前記流量計測手段は、前記一定時間間隔Ｔで前期流量計測装置に流れるガスの瞬時流量を計測するので、この時間間隔の影響を受ける場合があり、それに対処できることである。
【手続補正８】
【補正対象書類名】明細書
【補正対象項目名】００４９
【補正方法】変更
【補正の内容】
【００４９】
第５の発明は、特に、第３または第４の流量計測装置の前記第２の演算手段は、前記特定のガス器具が停止した時刻からの所定時間における流量差（Ｑｂ−Ｑａ）が０に近い場合には、時刻ａから時刻ｂの間における前記計測流量と時間Ｎ前の流量Ｑａとの差の中で一番大きいものを前記起動ガス流量の実測値とすることにより、安定時間が前記一定時間間隔Ｔより短かった場合や無い場合に起動流量を求め、そのガス流量を元に起動したガス
器具を判別できることである。
【手続補正９】
【補正対象書類名】明細書
【補正対象項目名】００５０
【補正方法】変更
【補正の内容】
【００５０】
第６の発明は、特に、第１から第５の発明の流量計測装置の下流に接続される前記ガス器具とは、短時間でＯＮ（起動）とＯＦＦ（停止）を繰り返すガス器具であることにより、ガス器具を限定することによって、例えば、ガステーブルなどはユーザによっていかようにでも起動・停止（ＯＮ／ＯＦＦ）を操作することができるので、ユーザの特殊な使われ方によって、誤ったガス器具が起動したと判断する確率を低下することができる。